(57)【要約】【課題】本発明は、ノートパソコンに対して放熱させるとともに、盗難防止機能を有するノートパソコンスタンドを提供する。【解決手段】本発明に係るノートパソコンスタンドは、本体と、前記本体の内部に設置される放熱装置及び盗難防止回路と、を備え、前記盗難防止回路は、バッテリーと、前記バッテリーに直列に接続される第一弾性スイッチ、制御スイッチ及び警報装置と、を備え、前記本体の上面には、ノートパソコンを支持するために用いられる支持パッドが設置され、前記第一弾性スイッチは、前記支持パッドに設置され、前記ノートパソコンを前記本体の上面に設置してから、前記制御スイッチを閉じて、前記第一弾性スイッチが前記ノートパソコンからの圧力を受けないと、前記第一弾性スイッチは閉じ、前記バッテリーは前記警報装置に電力を供給して、前記警報装置は警報を出す。【選択図】図１
2013140951.tif 000002
【特許請求の範囲】
【請求項１】
本体及び前記本体の内部に設置された放熱装置を備えるノートパソコンスタンドであって、
前記本体の内部には、さらに盗難防止回路が設置され、前記盗難防止回路は、バッテリーと、前記バッテリーに直列に接続される第一弾性スイッチ、制御スイッチ及び警報装置と、を備え、前記本体の上面には、ノートパソコンを支持するために用いられる支持パッドが設置され、前記第一弾性スイッチは、前記支持パッドに設置され、
前記ノートパソコンを前記本体の上面に設置してから、前記制御スイッチを閉じて、前記第一弾性スイッチが前記ノートパソコンからの圧力を受けないと、前記第一弾性スイッチは閉じ、前記バッテリーは前記警報装置に電力を供給して、前記警報装置は警報を出すことを特徴とするノートパソコンスタンド。
【請求項２】
前記本体の底面には、前記ノートパソコンスタンドを支持するために用いられる支持脚が設置され、前記盗難防止回路は、前記支持脚に設置される第二弾性スイッチをさらに備え、前記第一弾性スイッチ及び前記第二弾性スイッチは、並列に接続され、
前記ノートパソコンを前記本体の上面に設置してから、前記制御スイッチを閉じて、前記第二弾性スイッチが前記ノートパソコンスタンドからの圧力を受けないと、前記第二弾性スイッチは閉じ、前記バッテリーは前記警報装置に電力を供給して、前記警報装置は警報を出すことを特徴とする請求項１に記載のノートパソコンスタンド。
【請求項３】
本体及び前記本体の内部に設置された放熱装置を備えるノートパソコンスタンドであって、
前記本体の内部には、さらに盗難防止回路が設置され、前記盗難防止回路は、バッテリーと、前記バッテリーに直列に接続される弾性スイッチ、制御スイッチ及び警報装置と、を備え、前記本体の底面には、ノートパソコンスタンドを支持するために用いられる支持脚が設置され、前記弾性スイッチは、前記支持脚に設置され、
ノートパソコンを前記本体の上面に設置してから、前記制御スイッチを閉じて、前記弾性スイッチが前記ノートパソコンスタンドからの圧力を受けないと、前記弾性スイッチは閉じ、前記バッテリーは前記警報装置に電力を供給して、前記警報装置は警報を出すことを特徴とするノートパソコンスタンド。
【発明の詳細な説明】
【技術分野】
【０００１】
本発明は、ノートパソコンスタンドに関するものである。
【背景技術】
【０００２】
ノートパソコンの発展に伴い、ノートパソコンの使用人数も徐々に多くなる。ノートパソコンを机に水平に設置して使用する場合、ノートパソコン底部の放熱に影響する。従って内部に放熱ファンを設置したノートパソコンスタンドを利用して、ノートパソコンをノートパソコンスタンドに設置して使用することにより、ノートパソコンスタンド内の放熱ファンはノートパソコンに対して放熱させる。しかし、ノートパソコンの盗難防止対策は、依然として重要な課題である。
【先行技術文献】
【特許文献】
【０００３】
【特許文献１】中国登録実用新案第２０１８２０１７９号明細書
【発明の概要】
【発明が解決しようとする課題】
【０００４】
本発明の目的は、前記課題を解決し、盗難防止機能を有するノートパソコンスタンドを提供することである。
【課題を解決するための手段】
【０００５】
前記目的を達成するために、本発明に係るノートパソコンスタンドは、本体と、前記本体の内部に設置される放熱装置及び盗難防止回路と、を備え、前記盗難防止回路は、バッテリーと、前記バッテリーに直列に接続される第一弾性スイッチ、制御スイッチ及び警報装置と、を備え、前記本体の上面には、ノートパソコンを支持するために用いられる支持パッドが設置され、前記第一弾性スイッチは、前記支持パッドに設置され、前記ノートパソコンを前記本体の上面に設置してから、前記制御スイッチを閉じて、前記第一弾性スイッチが前記ノートパソコンからの圧力を受けないと、前記第一弾性スイッチは閉じ、前記バッテリーは前記警報装置に電力を供給して、前記警報装置は警報を出す。
【０００６】
前記目的を達成するために、本発明に係るノートパソコンスタンドは、本体と、前記本体の内部に設置される放熱装置及び盗難防止回路と、を備え、前記盗難防止回路は、バッテリーと、前記バッテリーに直列に接続される弾性スイッチ、制御スイッチ及び警報装置と、を備え、前記本体の底面には、ノートパソコンスタンドを支持するために用いられる支持脚が設置され、前記弾性スイッチは、前記支持脚に設置され、前記ノートパソコンを前記本体の上面に設置してから、前記制御スイッチを閉じて、前記弾性スイッチが前記ノートパソコンスタンドからの圧力を受けないと、前記弾性スイッチは閉じ、前記バッテリーは前記警報装置に電力を供給して、前記警報装置は警報を出す。
【発明の効果】
【０００７】
本発明に係わるノートパソコンスタンドは本体を備え、本体の上面に位置する支持パッド及び／又は本体の底面に位置する支持脚に弾性スイッチを設置し、弾性スイッチが圧力を受けないと閉じる特徴を利用して、ノートパソコンを持ち上げると、バッテリーは警報装置に電力を供給して、警報装置は警報を出すので、ノートパソコンが盗難されることを防止することができる。
【図面の簡単な説明】
【０００８】
【図１】本発明の実施形態に係るノートパソコンスタンドの構造を示す図である。
【図２】本発明の実施形態に係るノートパソコンスタンドの盗難防止回路の回路図である。
【図３】本発明の実施形態に係るノートパソコンスタンドの使用状態を示す図である。
【発明を実施するための形態】
【０００９】
図１を参照すると、本発明の実施形態に係るノートパソコンスタンド１００は、本体１２０と、放熱装置１５０と、盗難防止回路１６０（図２を参照）と、を備える。放熱装置１５０及び盗難防止回路１６０は、本体１２０の内部に設置される。本体１２０の上面１２２の一端には、突出台１２４が上に向かって突出して形成される。本体１２０の上面１２２は、突出台１２４の底辺から突出台１２４に離れる方向に向かって徐々に上へ傾斜して、ノートパソコン２００（図３を参照）を設置する斜面を形成する。この斜面によって、本体１２０の上面１２２に設置したノートパソコン２００のキーボードの角度を調節することができる。本体１２０の上面１２２には、ノートパソコン２００を支持するために用いられる複数の支持パッド１２３が設置されている。本体１２０の上面１２２における放熱装置１５０に対応する箇所には、複数の排気口１２５が設けられる。本体１２０の底面１２６には、ノートパソコンスタンド１００を支持するために用いられる複数の支持脚１２８が設置されている。本実施形態において、放熱装置１５０は、ＵＳＢファンであり、ＵＳＢファンのＵＳＢインターフェースをノートパソコン２００のＵＳＢスロットに差し込むと、ＵＳＢファンは起動されてノートパソコン２００に対して放熱させる。
【００１０】
図２を参照すると、盗難防止回路１６０は、２つの弾性スイッチＫ１、Ｋ２と、警報装置１６２と、バッテリー１６６と、制御スイッチＫと、を備える。２つの弾性スイッチＫ１及びＫ２は、並列に接続されている。また、バッテリー１６６と、２つの弾性スイッチＫ１及びＫ２の並列回路と、警報装置１６２と、制御スイッチＫと、が順に直列に接続される。本実施形態において、弾性スイッチＫ１は、複数の支持パッド１２３のうちの１つに設置され、弾性スイッチＫ２は、複数の支持脚１２８のうちの１つに設置される。弾性スイッチＫ１、Ｋ２は、圧力を受けると開き、圧力を受けないと閉じる。制御スイッチＫは、本体１２０における手で容易に接触できる箇所に設置される。
【００１１】
図３を参照すると、ノートパソコン２００が盗難されることを防止するために、ノートパソコンスタンド１００を支持平面３００に設置してから、ノートパソコン２００をノートパソコンスタンド１００の上面１２２に設置し、制御スイッチＫを閉じて、盗難防止回路１６０を起動する。この時、弾性スイッチＫ１は、ノートパソコン２００からの圧力を受けて開き、弾性スイッチＫ２は、ノートパソコンスタンド１００からの圧力を受けて開き、バッテリー１６６は警報装置１６２に電力を供給せず、警報装置１６２は警報を出さない。ノートパソコン２００をノートパソコンスタンド１００から持ち上げると、弾性スイッチＫ１はノートパソコン２００からの圧力を受けないので閉じ、バッテリー１６６は警報装置１６２に電力を供給して、警報装置１６２は警報を出す。ノートパソコンスタンド１００にノートパソコン２００を設置したままノートパソコンスタンド１００を持ち上げると、弾性スイッチＫ２はノートパソコンスタンド１００からの圧力を受けないので閉じ、バッテリー１６６は警報装置１６２に電力を供給して、警報装置１６２は警報を出す。本実施形態において、警報装置１６２は、ブザーのような音を出すことができる装置である。
【００１２】
本発明のノートパソコンスタンド１００は、支持パッド１２３に弾性スイッチＫ１を設置し、支持脚１２８に弾性スイッチＫ２を設置し、弾性スイッチＫ１、Ｋ２が圧力を受けないと閉じる特徴を利用して、ノートパソコン２００を持ち上げると、バッテリー１６６は警報装置１６２に電力を供給して、警報装置１６２は警報を出すので、ノートパソコン２００が盗難されることを防止することができる。
【００１３】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１４】
１００  ノートパソコンスタンド
１２０  本体
１２２  上面
１２３  支持パッド
１２４  突出台
１２５  排気口
１２６  底面
１２８  支持脚
１５０  放熱装置
１６０  盗難防止回路
１６２  警報装置
１６６  バッテリー
２００  ノートパソコン
３００  支持平面
Ｋ  制御スイッチ
Ｋ１、Ｋ２  弾性スイッチ
【図１】
2013140951.tif 000003
【図２】
2013140951.tif 000004
【図３】
2013140951.tif 000005